(57)【要約】  ３部通気路、密封蓋、および蓋解放ボタンを含む、真空容器、ならびに相補的なベースを含むシステム。３部通気路は、内部空気チャンバと、抽出通気路と、真空密封されたときに抽出通気路を通じて内部空気チャンバに空気が入り込むのを防止する一方向逆止弁と、を特徴とする。抽出通気路は、容器の上部と底部との間に延在し、内部空気チャンバの上部内側に設けられた内部空気抽出出口と、容器の底部に設けられ、外部空気ポンプと連結されるように構成された、容器の外側の外部空気抽出出口と、を含む。相補的な方法もまた提供される。
2019508211.tif 000002
【特許請求の範囲】
【請求項１】
自身の真空密封を提供するための真空容器であって、
（１）３部通気路であって、
（ａ）製品および流体を収容するための内部空気チャンバと、
（ｂ）前記内部空気チャンバからの空気の抽出を可能にするために、前記容器の上部と底部との間に延在する抽出通気路であって、前記抽出通気路は、
（ｉ）前記内部空気チャンバの上部内側に設けられた内部空気抽出出口と、
（ｉｉ）前記容器の前記底部に設けられ、前記容器から空気を抽出するための外部空気ポンプと連結されるように構成された、前記容器の外側の外部空気抽出出口と、
を備える抽出通気路と、
（ｃ）前記抽出通気路内に設けられ、真空密封されたときに前記抽出通気路を通じて前記内部空気チャンバに周囲空気が入り込むのを防止し、前記内部通気路部分および前記内部空気チャンバ内の圧力が等化されたときに空気の通過を可能にするため、前記抽出通気路の前記内部通気路部分と外部通気路部分とを分離する、一方向逆止弁と、
を備える３部通気路と、
（２）前記内部空気チャンバを密封的に覆うために取り付けられた蓋であって、前記内部空気抽出出口は、前記蓋、前記内部空気チャンバの側壁、のうちの１つに設けられている、蓋と、
（３）加圧容器条件下で前記蓋の解放を可能にするために、覆われた前記内部空気チャンバ内の圧力の選択的な等化を可能にする、蓋解放ボタンと、
を備える真空容器。
【請求項２】
容器の真空密封を提供するための真空容器システムであって、
（Ｉ）真空容器であって、
（１）３部通気路であって、
（ａ）製品および流体を収容するための内部空気チャンバと、
（ｂ）前記内部空気チャンバからの空気の抽出を可能にするために、前記容器の上部と底部との間に延在する抽出通気路であって、前記抽出通気路は、
（ｉ）前記内部空気チャンバの上部内側に設けられた内部空気抽出出口と、
（ｉｉ）前記容器の前記底部に設けられ、前記容器から空気を抽出するための外部空気ポンプと連結されるように構成された、前記容器の外側の外部空気抽出出口と、
を備える抽出通気路と、
（ｃ）前記抽出通気路内に設けられ、真空密封されたときに前記抽出通気路を通じて前記内部空気チャンバに周囲空気が入り込むのを防止し、内部通気路部分および前記内部空気チャンバ内の圧力が等化されたときに空気の通過を可能にするため、前記抽出通気路の前記内部通気路部分と外部通気路部分とを分離する、一方向逆止弁と、
を備える３部通気路と、
（２）前記内部空気チャンバを密封的に覆うために取り付けられた蓋であって、前記内部空気抽出出口は、前記蓋、前記内部空気チャンバの側壁、のうちの１つに設けられている、蓋と、
（３）加圧容器条件下で前記蓋の解放を可能にするために、覆われた前記内部空気チャンバ内の圧力の選択的な等化を可能にする、蓋解放ボタンと、
を備える真空容器と、
（ＩＩ）前記蓋によって密封的に覆われたときに前記容器から空気を抽出するための前記外部空気出口と接続可能な外部空気ポンプを備える、真空ベースと、
を備える真空容器システム。
【請求項３】
センタリングディスクと、
前記真空容器と前記真空ベースとが連結されたときを検出する接続センサと、
前記真空容器の前記抽出通気路を前記真空ベースの前記真空ポンプと連結する吸引ポートと、
をさらに備える、請求項２に記載の真空容器システム。
【請求項４】
前記抽出通気路は、前記蓋および前記容器の前記壁を通じて流体連通し、前記蓋は、前記容器内に前記内部出口および前記内部通気路部分を備える、請求項１または請求項２に記載の真空容器。
【請求項５】
前記抽出通気路は、前記容器の前記壁を通じて流体連通し、前記壁は、前記容器内に前記内部出口および前記内部通気路を備える、請求項１または請求項２に記載の真空容器。
【請求項６】
前記蓋解放ボタンは、
前記真空容器の前記蓋、および
前記真空容器の前記壁、
のうちの１つに位置する、請求項１または請求項２に記載の真空容器。
【請求項７】
加圧容器条件下での前記ポンプからの前記容器の切断を容易にするために、前記逆止弁が前記内部空気チャンバを真空密封状態で保持している間、前記外部通気路部分内の圧力の選択された等化を可能にするポンプ解放ボタンをさらに備える、請求項１または請求項２に記載の真空容器。
【請求項８】
前記ポンプ解放ボタンは、単一モジュール内で、前記蓋解放ボタン、および前記逆止弁のうちの少なくとも１つと組み合わせられる、請求項７に記載の真空容器。
【請求項９】
前記蓋解放ボタンおよび前記逆止弁は、単一モジュールに組み込まれている、請求項１または請求項２に記載の真空容器。
【請求項１０】
前記空気ポンプはさらに、加圧容器条件下での前記真空ポンプからの前記容器の切断を容易にするために、前記逆止弁が前記内部空気チャンバを真空密封状態で保持している間、空気を選択的に圧送して前記抽出通気路の外部部分に戻すようになっている、請求項２に記載の真空容器システム。
【請求項１１】
空気を圧送して前記抽出通気路内に戻すときにポンプ吸引方向を逆転させるために、前記抽出通気路および前記ポンプと流体連通しているＴバルブをさらに備える、請求項１０に記載の真空容器システム。
【請求項１２】
製品および流体を、アクセスが必要とされるまで真空下に保持するための真空容器を真空密封する方法であって、前記方法は、
前記真空容器の内部空気チャンバを蓋を用いて密封的に閉鎖するステップと、
前記真空容器の上部と底部との間に延在する抽出通気路によって、前記内部空気チャンバを空気ポンプと流体連通して連結するステップであって、前記抽出通気路は、
（ｉ）前記容器の上部内側に設けられた内部空気抽出出口と、
（ｉｉ）前記容器の底部に設けられ、前記容器から空気を抽出するための外部空気ポンプと連結するように構成された、前記真空容器の外側の外部空気抽出出口と、
（ｉｉｉ）前記抽出通気路内に設けられ、真空密封されたときに前記抽出通気路を通じて前記内部空気チャンバに周囲空気が入り込むのを防止し、内部通気路部分および前記内部空気チャンバ内の圧力が等化されたときに空気の通過を可能にするため、前記抽出通気路の前記内部通気路部分と外部通気路部分とを分離する、一方向逆止弁と、
を備える、ステップと、
空気を抽出するための前記ポンプを作動させることによって、前記抽出通気路を通じて前記内部空気チャンバから空気を抽出するステップと、
前記逆止弁が前記容器を真空密封状態で保持している間に、前記空気ポンプから前記真空容器を切断するステップと、
前記蓋の解放を可能にする前記真空容器に対する相対圧力の回復のために、蓋解放ボタンを作動させることによって前記容器を選択的に真空解放するステップと、
を備える方法。
【請求項１３】
前記連結するステップは、前記内部空気チャンバを真空ベース内に設けられた空気ポンプと流体連通して連結するステップを備える、請求項１２に記載の方法。
【請求項１４】
前記連結するステップは、
前記ベースのセンタリングディスク上に前記容器をセンタリングするステップと、
前記真空容器および前記真空ベースが連結されたときを接続センサによって検出するステップと、
前記真空容器の前記抽出通気路を前記真空ベースの前記真空ポンプと吸引ポートによって連結するステップと、
をさらに備える、請求項１３に記載の方法。
【請求項１５】
前記抽出通気路は、前記蓋および前記容器の前記壁を通じて流体連通し、前記蓋は、前記容器内に前記内部出口および前記内部通気路部分を備える、請求項１２に記載の方法。
【請求項１６】
前記抽出通気路は、前記容器の前記壁を通じて流体連通し、前記壁は、前記容器内に前記内部出口および前記内部通気路を備える、請求項１２に記載の方法。
【請求項１７】
前記蓋解放ボタンは、
前記真空容器の前記蓋、および
前記真空容器の前記壁、
のうちの１つに位置する、請求項１２に記載の方法。
【請求項１８】
前記切断するステップは、加圧容器条件下での前記ポンプからの前記容器の切断を容易にするために、前記逆止弁が前記内部空気チャンバを真空密封状態で保持している間、前記外部通気路部分内の圧力の選択された等化を可能にするポンプ解放ボタンを作動させるステップをさらに備える、請求項１２に記載の方法。
【請求項１９】
前記ポンプ解放ボタンは、単一モジュール内で、前記蓋解放ボタン、および前記逆止弁のうちの少なくとも１つと組み合わせられる、請求項１８に記載の方法。
【請求項２０】
前記蓋解放ボタンおよび前記逆止弁は、単一モジュールに組み込まれている、請求項１２に記載の方法。
【請求項２１】
前記切断するステップは、加圧容器条件下での前記真空ポンプからの前記容器の切断を容易にするために、前記逆止弁が前記内部空気チャンバを真空密封状態で保持している間、前記ポンプを用いて空気を選択的に圧送して前記抽出通気路の外部部分に戻すステップを備える、請求項１２に記載の方法。
【請求項２２】
前記切断するステップは、空気を圧送して前記抽出通気路に戻すときに、前記抽出通気路および前記ポンプと流体連通しているＴバルブによってポンプ吸引方向を逆転させるステップをさらに備える、請求項１２に記載の方法。
【発明の詳細な説明】
【技術分野】
【０００１】
開示される技術は一般的に容器に関し、具体的には加圧容器に関する。
【背景技術】
【０００２】
今日では、長期保存のために真空容器を使用することが一般的である。たとえば食料品など、空気にさらされると劣化速度が増加する製品は、真空保存などの低圧環境で適切に保存されると、貯蔵寿命が延長される。小さな粒子、液体、または液状物質を含む、真空容器内に保存可能な様々な物品のため、真空容器の設計者は空気吸引ポートを容器の上部に配置するが、保存される物質による吸引ポートの閉塞を防止するため、通常は容器の蓋内に埋め込まれている。
【発明の概要】
【課題を解決するための手段】
【０００３】
したがって、本発明の一態様によれば、３部通気路、蓋、および蓋解放ボタンを含む、自身の真空密封を提供するための真空容器が提供される。３部通気路は、製品、流体、および食品などの内容物を収容するための内部空気チャンバと、内部空気チャンバからの空気の抽出を可能にするための抽出通気路と、真空密封されたときに抽出通気路を通じて内部空気チャンバに周囲空気が侵入するのを防止し、内部空気チャンバ通気路部分で圧力が等化されたときに空気の通過を可能にするための、一方向逆止弁と、を特徴とする。抽出通気路は、容器の上部と底部との間に延在し、内部空気チャンバの上部内側に設けられた内部空気抽出出口と、容器の底部に設けられ、内部空気チャンバが蓋によって密封的に覆われたときに容器から空気を抽出するための外部空気ポンプと連結されるように構成された、容器の外側の外部空気抽出出口と、を含む。一方向逆止弁は、抽出通気路内に設けられ、真空密封されたときに前記抽出通気路を通じて内部空気チャンバに周囲空気が侵入するのを防止し、内部通気路部分および内部チャンバ内の圧力が等化されたときに空気の通過を可能にするため、抽出通気路の内部通気路部分と外部通気路部分とを分離する。蓋は、内部空気チャンバを密封的に覆うために取り付けられており、内部空気抽出出口は、内部空気チャンバの蓋または側壁のいずれかに設けられている。蓋解放ボタンは、加圧容器条件下で蓋の解放を可能にするために、覆われた内部空気チャンバ内の圧力の選択的な等化を可能にする。
【０００４】
開示される技術の別の態様によれば、真空容器に加えて、蓋によって密封的に覆われたときに容器から空気を抽出するための外部空気出口と接続可能な外部空気ポンプを特徴とする真空ベースを含む、真空容器システムが提供される。随意により、ベースは、センタリングディスクと、真空容器の内部抽出通気路を空気真空ポンプと連結する吸引ポートと、を収容し、接続センサは、真空容器と真空ベースとが連結されたときを検出することができる。また、電源から電気を供給するための変圧器と、覆われた容器内の圧力を低下させるために真空ポンプを作動させるモータと、があってもよい。
【０００５】
抽出通気路は、容器の蓋、シール、および壁を通じて、または容器の壁のみを通じて、内部空気チャンバと流体連通してもよい。随意により、解放ボタンは、真空容器の蓋に、または真空容器の壁に位置している。
【０００６】
真空容器は、加圧容器条件下でのポンプからの容器の切断を容易にするために、逆止弁が内部空気チャンバを真空密封状態で保持している間、外部通気路部分内の圧力と周囲大気圧との選択された等化を可能にする、ポンプ解放ボタンをさらに含んでもよい。ポンプ解放ボタンは、単一モジュール内で蓋解放ボタン、および／または逆止弁と組み合わせられてもよく、蓋解放ボタンおよび逆止弁もまた単一モジュールに組み込まれてもよい。空気ポンプはさらに、加圧容器条件下での真空ポンプからの容器の切断を容易にするために、逆止弁が内部空気チャンバを真空密封状態で保持している間、空気を選択的に圧送して抽出通気路の外部部分に戻すようになっていてもよい。随意選択的なＴバルブは、空気を圧送して抽出通気路内に戻すときにポンプ吸引方向を逆転させるために、抽出通気路およびポンプと流体連通して設けられてもよい。
【０００７】
開示される技術の別の態様によれば、製品および流体などの内容物を、アクセスが必要とされるまで真空下に保持するための真空容器を真空密封する方法が、提供される。方法は、たとえば上側／上部蓋と真空容器との間に取り付けられた周辺シールによって、蓋を用いて真空容器の内部空気チャンバを密封的に閉鎖するステップを含む。方法は、真空容器の上部と底部との間に延在する抽出通気路によって、内部空気チャンバを空気ポンプと流体連通して連結するステップを、さらに含む。抽出通気路は、容器の上部内側に設けられた内部空気抽出出口と、容器の底部に設けられ、外部空気ポンプと連結するように構成された、真空容器の外側の外部空気抽出出口と、抽出通気路内に設けられ、真空密封されたときに抽出通気路を通じて内部空気チャンバに周囲空気が入り込むのを防止し、圧力が内部通気路部分で周囲大気圧と等化されたときに空気の通過を可能にするため、抽出通気路の内部通気路部分と外部通気路部分とを分離する、一方向逆止弁と、を含む。方法は、空気を抽出するためのポンプを作動させることによって、抽出通気路を通じて内部空気チャンバから空気を抽出するステップと、逆止弁が容器を真空密封状態で保持している間に空気ポンプから真空容器を切断するステップと、蓋の解放を可能にする真空容器に対する相対圧力の回復のために、蓋解放ボタンを作動させることによって容器を選択的に真空解放するステップと、をさらに含む。
【０００８】
連結は、内部空気チャンバを真空ベース内に設けられた空気ポンプと流体連通して連結するステップと、随意によりさらに、ベースのセンタリングディスク上に容器をセンタリングするステップと、真空容器および真空ベースが連結されたときを接続センサによって検出するステップと、真空容器の抽出通気路を真空ベースの真空ポンプと吸引ポートによって連結するステップと、を含んでもよい。
【０００９】
抽出通気路は、蓋、および容器の壁を通じて流体連通してもよく、蓋は容器内に内部出口および内部通気路部分を含み、または抽出通気路は容器の壁を通じて流体連通してもよく、壁は容器内に内部出口および内部通気路部分を含む。蓋解放ボタンは、真空容器の蓋に、または真空容器の壁に設けられてもよい。
【００１０】
切断は、加圧容器条件下でのポンプからの容器の切断を容易にするために、逆止弁が内部空気チャンバを真空密封状態で保持している間、外部通気路部分内の圧力の選択された等化を可能にする、ポンプ解放ボタンを作動させるステップを、さらに含んでもよい。
【００１１】
ポンプ解放ボタンは、単一モジュール内で蓋解放ボタンまたは逆止弁と組み合わせられてもよい。蓋解放ボタンおよび逆止弁は、単一モジュールに組み込まれてもよい。
【００１２】
切断は、加圧容器条件下でのポンプからの容器の切断を容易にするために、逆止弁が内部空気チャンバを真空密封状態で保持している間、ポンプを用いて空気を選択的に圧送して抽出通気路の外部部分に戻すステップを含んでもよい。
【００１３】
切断は、空気を圧送して抽出通気路内に戻すときに、抽出通気路およびポンプと流体連通しているＴバルブによってポンプ吸引方向を逆転させるステップを、さらに含んでもよい。
【００１４】
本発明は、添付図面と併せて以下の詳細な説明から、より完全に理解および解釈されるだろう。
【図面の簡単な説明】
【００１５】
【図１】本発明の一実施形態にしたがって構築され動作する、真空容器システムの等角分解図である。
【図２】図１の容器システムの側断面図である。
【図２Ａ】図１の容器のコーナーの詳細断面図である。
【図３】図１の真空ベースシステムの等角図である。
【図４】図１の蓋の分解図である。
【図５】図１のクイック解放機構の詳細断面図である。
【図６】ポンプ解放ボタンを特徴とする、図１に示される容器の変形例を示す図である。
【図７】単一モジュール内の一方向逆止弁、蓋解放ボタン、およびポンプ解放ボタンを特徴とする、図１に示される容器の変形例を示す図である。
【図８】本発明の別の実施形態にしたがって動作する、真空容器を真空密封する方法のブロック図である。
【発明を実施するための形態】
【００１６】
従来技術による容器の上部における吸引ポートの配置は、問題があり、不都合である。開示される技術は、このような不都合を解決する、真空容器の新規な構造、システム、および方法を提供する。最も幅広い態様では、開示される技術は、ベースの上に容易に配置され、これにより真空ポンプに連結されることが可能であり、その間に容器の上部付近にある開口部を介して空気が除去され、これにより容器の底部に沈殿した流体またはその他の内容物の吸引を回避し、その間に真空条件下でベースからの容器の容易な取り外しおよび真空ポンプからの切断を提供する、真空容器を紹介する。本発明の一態様によれば、このようにして、自身の真空密封を提供するための真空容器、および真空容器と相補的な真空ベースとを含むシステムが、提供される。真空容器は、３部通気路、蓋、および蓋解放ボタンを含む。３部通気路は、製品および流体を収容する内部空気チャンバと、内部空気チャンバからの空気の抽出を可能にするための抽出通気路と、真空密封されたときに抽出通気路を通じて周囲空気が内部空気チャンバに入り込むのを防止し、圧力が内部空気チャンバ通気路部分で周囲大気圧と等化されたときに空気の通過を可能にするため、出口間の抽出通気路内に設けられた一方向逆止弁と、を特徴とする。抽出通気路は、内部空気チャンバの上部内側に設けられた内部空気抽出出口と、容器の底部または側壁に設けられ、内部空気チャンバが蓋によって密封的に覆われたときに容器から空気を抽出するための外部空気ポンプと連結されるように構成された、容器の外側の外部空気抽出出口と、を含む。一方向逆止弁は、抽出通気路内に設けられ、真空密封されたときに前記抽出通気路を通じて内部空気チャンバに周囲空気が入り込むのを防止し、圧力が内部通気路部分および内部チャンバ内で周囲大気圧と等化されたときに空気の通過を可能にするため、抽出通気路の内部通気路部分と外部通気路部分とを分離する。蓋は、内部空気チャンバを密封的に覆うために取り付けられており、内部空気抽出出口は、内部空気チャンバの蓋または側壁のいずれかに設けられている。蓋解放ボタンは、加圧容器条件下で蓋の解放を可能にするために、覆われた内部空気チャンバ内の圧力の選択的な等化を可能にする。
【００１７】
真空容器システムは、真空容器に加えて、蓋によって密封的に覆われたときに容器から空気を抽出するための外部空気出口と接続可能な外部空気ポンプを含む真空ベースを含む。
【００１８】
さらに、場合により、ベースは、センタリングディスクと、真空容器の内部抽出通気路を空気真空ポンプと連結する吸引ポートと、を収容し、接続センサは、真空容器と真空ベースとが連結されたときを検出することができる。また、電源から電気を供給するための変圧器と、覆われた容器内の圧力を低下させるために真空ポンプを作動させるモータと、があってもよい。抽出通気路は、容器の蓋、シール、および壁を通じて、または容器の壁のみを通じて、流体連通してもよい。随意により、解放ボタンは、真空容器の蓋に、または真空容器の壁に位置している。
【００１９】
真空容器は、加圧容器条件下でのポンプからの容器の切断を容易にするために、逆止弁が内部空気チャンバを真空密封状態で保持している間、外部通気路部分内の圧力の選択された等化を可能にする、ポンプ解放ボタンを、さらに含んでもよい。ポンプ解放ボタンは、単一モジュール内で蓋解放ボタン、および／または逆止弁と組み合わせられてもよく、蓋解放ボタンおよび逆止弁もまた単一モジュールに組み込まれてもよい。空気ポンプはさらに、加圧容器条件下での真空ポンプからの容器の切断を容易にするために、逆止弁が内部空気チャンバを真空密封状態で保持している間、空気を選択的に圧送して抽出通気路の外部部分に戻すようになっていてもよい。随意選択的なＴバルブは、空気を圧送して抽出通気路内に戻すときにポンプ吸引方向を逆転させるために、抽出通気路およびポンプと流体連通して設けられてもよい。
【００２０】
開示される技術の別の態様によれば、製品および流体を、アクセスが必要とされるまで真空下に保持するための真空容器を真空密封する方法が、提供される。方法は、たとえば上側／上部蓋と真空容器との間に取り付けられた周辺シールによって、蓋を用いて真空容器の内部空気チャンバを密封的に閉鎖するステップを含む。方法は、真空容器内に設けられた抽出通気路によって、内部空気チャンバを空気ポンプと流体連通して連結するステップを、さらに含む。抽出通気路は、容器の上部内側に設けられた内部空気抽出出口と、容器の底部および側壁のうちの１つに設けられ外部空気ポンプと連結するように構成された、真空容器の外側の外部空気抽出出口と、抽出通気路内に設けられ、真空密封されたときに抽出通気路を通じて内部空気チャンバに周囲空気が入り込むのを防止し、圧力が内部通気路部分で周囲大気圧と等化されたときに空気の通過を可能にするため、抽出通気路の内部通気路部分と外部通気路部分とを分離する、一方向逆止弁と、を含む。方法は、空気を抽出するためのポンプを作動させることによって、抽出通気路を通じて内部空気チャンバから空気を抽出するステップと、逆止弁が容器を真空密封状態で保持している間に空気ポンプから真空容器を切断するステップと、蓋の解放を可能にする真空容器に対する相対圧力の回復のために、蓋解放ボタンを作動させることによって容器を選択的に真空解放するステップと、をさらに含む。
【００２１】
ここで図面を参照するが、図中、類似の番号は類似の部品を示す。図１は、本発明の一実施形態にしたがって構築され動作する、全体として参照番号１００が付された、真空容器システムの等角分解図である。システム１００は主に、真空容器１０１および真空ベース１０３を含む。真空容器１０１は、容器本体１０５、蓋１０７、蓋クイック解放ボタン機構１０９（またはボタン１０９）、および周辺シール１１１（蓋１０７と容器１０１との間に設けられ、蓋１０７と容器１０１の気密密封を可能にする）を特徴とする。真空ベース１０３は、容器１０１からの空気の自動抽出のための装置、すなわち真空ポンプを含むか、またはこれに関連付けられている。
【００２２】
図２および図２Ａを参照すると、図２はシステム１００の切断側面図であり、図２Ａは容器１０１のコーナーの詳細断面図である。容器１０１は、３部通気路１１３、蓋１０７、および蓋解放ボタン１０９を含む。３部通気路１１３は、製品および流体を収容するための内部空気チャンバ１１５と、内部空気チャンバ１１５からの空気の抽出を可能にするための抽出通気路１１７と、真空密封されたときに抽出通気路１１７を通じて周囲空気が内部空気チャンバ１１５に入り込むのを防止し、圧力が内部空気チャンバ１１５で周囲大気圧と等化されたときに空気の通過を可能にするため、抽出通気路１１７内に設けられた一方向逆止弁１１９と、を含む。逆止弁１１９は、抽出通気路１１７の内部通気路部分１２１と外部通気路部分１２３とを分離する。蓋１０７は、中実剛性フレーム１２５で構成され、これを通じて内部通気路部分１２１は内部空気抽出出口１２７および逆止弁１１９に接続されている。容器１０１は、外部シェル１２９および外部通気路部分１２３を含み、これにより外部空気抽出出口１３１（吸引ポート１３１とも称される）へのガスの搬送を可能にする。外部通気路部分１２３は、単一の通気路または複数の通気路の形態を取ることができ、または容器シェル１２９の二重壁の間に形成され、またはその中央で、または容器１０１の側面のうちの１つで、容器シェル１２９上に設けられた外部通気路として形成され、またベース１０３の密封表面１５５上に密封的に配置されたときに容器本体１０５の底部の間に形成された底部分１２４を特徴とすることも可能である（図２）。内部空気抽出出口１２７は、内部空気チャンバ１１５の上部内側に設けられている。外部空気抽出出口１３１は、図２に示されるようにその底部において、または容器１０１の側壁上で、容器１０１の外側に設けられ、蓋１０７によって密封的に覆われたときに容器から空気を抽出するための外部空気ポンプに連結されるように構成されている。逆止弁１１９は、抽出通気路１１７内に設けられ、真空密封されたときに抽出通気路を通じて内部空気チャンバ１１５に周囲空気が入り込むのを防止し、圧力が内部通気路部分および内部空気内で周囲大気圧と等化されたときに空気の通過を可能にするため、抽出通気路１１７の内部通気路部分１２１と外部通気路部分１２３とを分離する。逆止弁１１９は、抽出通気路１１７内のどこに設けられてもよい。逆止弁１１９は、デフォルトでは開いているように、すなわち内部通気路部分１２１からの空気の自由な除去を可能にし、および外部通気路部分１２３における空気吸引作用により、圧力差（内部通気路部分１２１と外部通気路部分１２３との間）が所定の閾値を超えて蓄積したときにのみ密封するように設計されるか、あるいはデフォルトでは閉じているように、すなわち空気の通過を遮断するが、所定の閾値を超えた圧力差の蓄積に反応して開くように、設計されてもよい。図２および図２Ａでは、抽出通気路１１７は蓋１０７の中まで延在し、逆止弁は蓋１０７と容器１０１との嵌合の付近で蓋１０７内に設けられており、蓋１０７のシール１１１内の小さな空洞１３３は、蓋１０７の内部通気路部分１２１と容器１０１の外部通気路部分１２３との間に流体連通を提供する。蓋１０７は、容器１０１の内部空気チャンバ１１５を密封的に覆うように取り付けられている。内部空気抽出出口１２７は、蓋１０７に設けられている。しかしながら、抽出通気路１１７は、その内部通気路抽出部分を含み、容器１０１内全体に設けられてもよく、その場合には、チャンバ１１５の底部に沈殿した流体および内容物の吸引を回避するために、内部空気抽出出口は、チャンバ１１５の上部またはその付近で内部空気チャンバ１１５の側壁に設けられる。
【００２３】
ここで、システム１００の真空ベース１０３の等角図である、図３を参照する。図３に示されるように、真空ベース１０３は、密封表面１５５（図１および図２に見られるように、他の構成要素を露出させるために図３では「透明」として示される）、センタリングディスク１３５、モータ１３７、外部空気真空ポンプ１３９、変圧器１４１、空気圧センサ１４３、力圧センサ１４５（図示しない、その他の接続センサの例）、コントローラ（制御基板）１４７、ベース外部シェル１４９、持ち上げ取っ手１５１、および折り畳みヒンジ１５３を含む。変圧器１４１は、センサ１４３、１４５およびモータ１３７の動作のため、コントローラ１４７に電流を供給する。モータ１３７はポンプ１３９を作動させ、ポンプ１３９はコントローラ１４７の命令に基づいて、陰圧または陽圧を生成する。空気圧センサ１４３およびポンプ１３９は、空気管を介してセンタリングディスク１３５に接続されている。空気圧センサ１４３は、ポンプ１３９によって生成された圧力をコントローラ１４７に中継する。
【００２４】
図２に示されるように、外部通気路部分１２３は、容器１０１の上部から容器１０１の底部への空気の搬送を可能にする。容器１０１を密封表面１５５上に配置すると、容器１０１の重量によって密封表面１５５上に重力が生じることで外部シェル１２９と密封表面１５５との間に気密密封が形成され、これにより力圧センサ１４５を起動する。力圧センサ１４５からの命令は、ポンプ１３９のモータ１３７を作動させるためにコントローラ１４７を起動し、ポンプ１３９は、センタリングディスク１３５の吸引ポート１３１において負の空気圧を生成し、圧力差は空気によって容器１０１内に３部通気路１１３を形成させて、内部通気路チャンバ１１５から蓋１０７の内部通気路部分１２１を通じて、シール１１１内の逆止弁１１９および空洞１３３を通り、外部通気路部分１２３を通じて吸引ポート１３１への容器１０１の底部まで、抽出させる。容器１０１内の所定の内圧に到達すると、吸引ポート１３１における負の空気圧の生成は、空気圧センサ１４３によるその測定に反応して、コントローラ１４７の命令によって停止する。
【００２５】
容器１０１は今や、その真空を維持しながら、ベース１０３から取り外されてもよい。ポンプ１３９によって生成された真空は、内部に存在する陰圧の力によって、部分１２３およびポンプ１３９を互いに付着させる。ポンプ１３９からの容器１０１の取り外しを容易にするために、真空容器１０１は、ボタン１５７（または下記でさらに説明される、図６および図７に例示されるボタン１５９、１６１）などのポンプ解放ボタンをさらに備えてもよい。加圧容器条件下でのポンプ１３９からの容器１０１の切断を容易にするために、逆止弁１１９が内部空気チャンバ１１５を真空密封状態で保持している間、ボタン１５７は、外部通気路部分１２３内の圧力の選択された等化を可能にする。
【００２６】
容器１０１の内容物へのアクセスが求められるとき、蓋１０７を容器１０１に緊密に接続する真空は、解放されなければならない。この目的のため、開放蓋解放ボタン１０９は、蓋１０７に設けられ、加圧容器条件下で蓋１０７の解放を可能にするために、蓋１０７で覆われた内部空気チャンバ１１５内の圧力の選択された等化を可能にする。システム１００の蓋１０７の分解図である図４に示されるように、蓋１０７は主に、クイック解放ボタン１０９、統合インジケータ１６３、圧縮バネ１６５、圧縮バネ１６７、シール１６９、および中実剛性フレーム１２５を備える。あるいは、蓋解放ボタンは、図７を参照して以下にさらに説明されるように、容器１０１の壁のどこにでも、好ましくは上部に（内容物との干渉を回避するため）、設けられてもよい。
【００２７】
システム１００の蓋１０７のクイック解放機構１の詳細断面図である図５に示されるように、ボタン１７１はセンタリングロッド１７３上に取り付けられている。圧縮バネ１６５は、ボタン１７１を蓋１０７のフレーム１２５から最大距離で離間させておき、係止制限歯１７５は、一旦実装されると、フレーム１２５からのボタン１７１の緩みまたは弛緩を防止する。Ｏリング１７７は、ボタン１７１が減圧位置にあるときに、ボタン１７１と蓋１０７との間の空気経路を密封する。
【００２８】
ボタン１７１が、圧縮された圧力等化位置までユーザによって手動で押されると、切り欠き１７９は蓋１０７の周辺溝１８１と接続し、溝１１を通じて容器１０１内に、切り欠き１７９および溝１８１を通じて蓋１０７のスリット１８３に、空気を侵入させる。このようにして、空気の通過を許容し、容器１０１内の圧力を回復させる。ボタン１７１の手動押下を停止すると、圧縮バネ１６５はボタン１７１を上方に押す。
【００２９】
加えて、容器１０１内に陰圧が形成されると、インジケータ１６３の側面の間の圧力差がインジケータ１６３に表面張力を印加して、シール１６９に到達するまで圧縮バネ１６７を圧縮しながら、インジケータ１６３を下方に移動させる。ボタン１７１の手動押下とともに真空の破壊が生じ、圧縮バネ１６７は、ボタン１７１の上部に設けられた内向きフランジコーナー制限１８５に向かってインジケータを上向きに押す。インジケータ１６３の位置はボタン１７１に関連しており、上方からの観察者に対して容器内の圧力状態を示す。
【００３０】
ここで、ポンプ解放ボタン１５９を特徴とする、図１に示される容器の変形例である、図６を参照する。容器１０１からポンプ１３９によって空気を吸引すると、容器１０１は、通気路１１３およびベース１０３の通気路の中の陰圧の力によって、センターディスク５２においてベース１０３に付着することに、留意されたい。ユーザは、ベース１０３から容器１０１を分離させるためにかなりの力を印加する必要があるだろう。分離を容易にするための１つの方策は、空気ポンプ１３９の機能を逆転させることである。たとえば、加圧容器条件下で真空ポンプ１３９からの容器１０１の切断を容易にするために、逆止弁１１９が内部空気チャンバ１１５を真空密封状態で保持している間、空気を選択的に圧送して抽出通気路１１７の外部部分１２３内に戻すために空気ポンプ１３９を使用する。ポンプ１３９の動作の逆転は可能であるものの、空気を圧送して抽出通気路１１７内に戻すときに（ポンプ作用を逆転させずに）ポンプ吸引方向を逆転させるため、抽出通気路１１７およびポンプ１３９と流体連通したＴバルブを実装する方が便利である。このような選択的なＴバルブの例は、Ｔバルブ１８７として図３に示されている。
【００３１】
ポンプ１３９からの容器１０１の取り外しを容易にするための別の方策はポンプ解放ボタンであり、その一例が上述されている（ボタン１５７）。真空容器１０１、ならびにベース１０３は、図６のポンプ解放ボタン１５９、または図３のポンプ解放ボタン１５７などの、ポンプ解放ボタンをさらに備えてもよい。ボタン１５９または１５７は、作動すると、ベース１０３空気内の、部分１２３および密封空気空間、または通気路の中に、空気を入れる。したがって、加圧容器条件下でのポンプ１３９からの容器１０１の切断を容易にするために、逆止弁１１９が内部空気チャンバ１１５を真空密封状態で保持している間、ボタン１５９または１５７は、外部通気路部分１２３内の圧力の選択された等化を可能にする。
【００３２】
ボタン１５９、１５７と類似のポンプ解放ボタンが容器１０１に実装されている場合、これは単一モジュール内で蓋解放ボタン（蓋解放ボタン機構１と類似）、および／または逆止弁１１９と組み合わせられてもよい。蓋解放ボタンおよび逆止弁もまた単一モジュールに組み込まれてもよい。図７を参照すると、いずれも単一モジュール１９３に組み込まれた、一方向逆止弁１８９、蓋解放ボタン１９１、およびポンプ解放ボタン１６１を特徴とする、図１に示される容器１０１の変形例が示されている。
【００３３】
真空容器１０１は、外部シェル１２９内の統合通気路を利用し、外部空気抽出出口または吸引ポート１３１は、容器１０１の上部ではなく、容器１０１の側壁または底部に配置されている。真空容器１０１は、容器１０１から空気を抽出するために、すなわち底部に設けられた吸引ポートを有する容器を利用することによって、ユーザによって必要とされる努力を軽減する。吸引ポート１３１は、構造が単純であり、ポンプにつながるベース１０３の相補的なポート１３６のすぐ上で、真空容器１０１の底部に設けられている。真空容器１０１は、蓋クイック解放ボタン機構１を備えている。真空容器１０１は、内圧条件の統合インジケータ１６３を特徴としてもよい。真空ベース１０３は、吸引ポート１３１がベース１０３によって完全に覆われることが唯一の要件となるような使用のために設計されることに、留意されたい。システム１００はポンプを含むか、または底部吸引ポート１３１を有する真空容器１０１から空気を抽出するための装置と連結されてもよい。
【００３４】
開示される発明の別の態様によれば、製品および流体を、アクセスが必要とされるまで真空下に保持するための真空容器システムを真空密封する方法が提供される。ここで、本発明の別の実施形態にしたがって動作する、真空容器を真空密封する方法２００のブロック図である図８を参照する。方法２００のステップ２０２は、たとえば上側／上部蓋と真空容器との間に取り付けられた周辺シールによって、蓋を用いて真空容器の内部空気チャンバを密封的に閉鎖するステップを含む。図１から図７を参照すると、蓋１０７は、たとえば上側／上部蓋１０７と真空容器１０１との間に取り付けられた周辺シール１１１によって、真空容器１０１の内部空気チャンバ１１５を密封的に閉鎖する。
【００３５】
方法２００のステップ２０４は、真空容器内に設けられた抽出通気路によって、内部空気チャンバを空気ポンプと流体連通して連結するステップを含む。抽出通気路は、容器の上部内側に設けられた内部空気抽出出口と、容器の底部および側壁のうちの１つに設けられ外部空気ポンプと連結するように構成された、真空容器の外側の外部空気抽出出口と、抽出通気路内に設けられ、真空密封されたときに抽出通気路を通じて内部空気チャンバに周囲空気が入り込むのを防止し、圧力が内部通気路部分で周囲大気圧と等化されたときに空気の通過を可能にするため、抽出通気路の内部通気路部分と外部通気路部分とを分離する、一方向逆止弁と、を含む。図１から図７を参照すると、内部空気チャンバ１１５は、真空容器１０１内に設けられた抽出通気路１１７によって、空気ポンプ１３９と流体連通して連結されている。抽出通気路１１７は、容器１０１（蓋１０７）の上部内側に設けられた内部空気抽出出口１２７と、その底部に設けられた真空容器１０１の外側に設けられた外部空気抽出出口１３１と、を含み外部空気ポンプ１３９と連結されるように構成されている。一方向逆止弁１１９は、抽出通気路１１７内に設けられ、真空密封されたときに抽出通気路１１７を通じて内部空気チャンバ１１５に周囲空気が入り込むのを防止し、圧力が内部通気路部分１２１で等化されたときに空気の通過を可能にするため、抽出通気路１１７の内部通気路部分１２１と外部通気路部分１２３とを分離する。
【００３６】
連結のステップ２０４は、内部空気チャンバを真空ベース内に設けられた空気ポンプと流体連通して連結するステップを、さらに含んでもよい。図１から図７を参照すると、内部空気チャンバ１１５は、真空ベース１０３内に設けられた空気ポンプ１３９と流体連通して連結されている。
【００３７】
連結のステップ２０４は、ベースのセンタリングディスク上に容器をセンタリングするステップと、真空容器および真空ベースが連結されたときを接続センサによって検出するステップと、真空容器の抽出通気路を真空ベースの真空ポンプと吸引ポートによって連結するステップと、をさらに含んでもよい。図１から図７を参照すると、容器１０１は、ベース１０３のセンタリングディスク５２上にセンタリングされている。接続センサとして機能する圧力センサ１４５は、真空容器１０１および真空ベース１０３が連結されたときを検出する。真空容器１０１の抽出通気路１１７は、吸引ポート１３１によって真空ベース１０３の真空ポンプ１３９と連結されている。
【００３８】
方法２００の手順２０６は、空気を抽出するためのポンプを作動させることによって、抽出通気路を通じて内部空気チャンバから空気を抽出するステップを含む。図１から図７を参照すると、内部空気チャンバ１１５からの空気は、空気を抽出するためのポンプ１３９を作動させることによって、抽出通気路１１７を通じて抽出される。
【００３９】
方法２００の手順２０８は、逆止弁が容器を真空密封状態で保持している間に空気ポンプから真空容器を切断するステップを含む。図１から図７を参照すると、真空容器１０１は、逆止弁１１９が容器１０１を真空密封状態で保持している間に、空気ポンプ１３９から切断される。切断の手順２０８は、加圧容器条件下でのポンプからの容器の切断を容易にするために、逆止弁が内部空気チャンバを真空密封状態で保持している間、外部通気路部分内の圧力の選択された等化を可能にする、ポンプ解放ボタンを作動させるステップを、さらに含んでもよい。図１から図７を参照すると、加圧容器条件下でのポンプ１３９からの容器１０１の切断を容易にするために、逆止弁１１９（または１８９）が内部空気チャンバ１１５を真空密封状態で保持している間、ポンプ解放ボタン１５９、１５７、または１６１が作動して、外部通気路部分１２３内の圧力の選択された等化を可能にする。
【００４０】
切断の手順２０８は、加圧容器条件下でのポンプからの容器の切断を容易にするために、逆止弁が内部空気チャンバを真空密封状態で保持している間、ポンプを用いて空気を選択的に圧送して抽出通気路の外部部分に戻すステップを、さらに含んでもよい。図１から図７を参照すると、加圧容器条件下で真空ポンプ１３９からの容器１０１の切断を容易にするために、逆止弁１１９が内部空気チャンバ１１５を真空密封状態で保持している間、空気ポンプ１３９は、空気を選択的に圧送して抽出通気路１１７の外部部分１２３内に戻す。
【００４１】
切断の手順２０８は、空気を圧送して抽出通気路内に戻すときに、抽出通気路およびポンプと流体連通しているＴバルブによってポンプ吸引方向を逆転させるステップを、さらに含んでもよい。図１から図７を参照すると、ポンプ１３９吸引方向は、空気を圧送して抽出通気路１１７内に戻すときに、抽出通気路１１７およびポンプ１３９と流体連通しているＴバルブ１８７によって逆転させられる。
【００４２】
方法２００のステップ２１０は、蓋の解放を可能にする真空容器に対する相対圧力の回復のために、蓋解放ボタンを作動させることによって容器を選択的に真空解放するステップを含む。図１から図７を参照すると、蓋１０７の解放を可能にするため真空容器１０１に対する相対圧力を回復するために、蓋解放ボタン１０９（または１７１）が作動させられ、これによって容器１０１内の真空の選択的な解放を可能にする。
【００４３】
抽出通気路は、蓋、および容器の壁を通じて流体連通してもよく、蓋は容器内に内部出口および内部通気路部分を含み、または壁は容器内に内部出口および内部通気路部分を含む。図１から図７を参照すると、抽出通気路１１７は、蓋１０７、および容器１０１の外部シェル１２９の壁を通じて流体連通しており、蓋１０７は、容器１０１内に内部出口１２７および内部通気路部分１２１を含む。蓋解放ボタンは、真空容器の蓋に、または真空容器の壁に位置してもよい。図１から図７を参照すると、蓋解放ボタン１０９は、真空容器１０１の蓋１０７に位置している。
【００４４】
ポンプ解放ボタンは、ベース１０３または容器１０１のいずれかに設けられることが可能である。ポンプ解放ボタンは、単一モジュール内で蓋解放ボタンおよび逆止弁のうちの少なくとも１つと組み合わせられてもよい。図１から図７を参照すると、ポンプ解放ボタン１５７はベース１０３に設けられ、ポンプ解放ボタン１５９および１６１は容器１０１に設けられている。ポンプ解放ボタン１６１は、単一モジュール内で、蓋解放ボタン１９１および逆止弁１８９と組み合わせられている。蓋解放ボタンおよび逆止弁は、単一モジュールに組み込まれてもよい。図１から図７を参照すると、蓋解放ボタン１９１および逆止弁１８９は、単一モジュールに組み込まれている。
【００４５】
当業者が本発明を実施できるように、開示された主題の特定の実施形態が説明されてきたが、上記の説明は単なる例示として意図されている。これは開示された主題の範囲を限定するために使用されるべきではなく、主題の範囲は以下の請求項を参照して決定されるべきである。
【図１】
2019508211.tif 000003
【図２】
2019508211.tif 000004
【図２Ａ】
2019508211.tif 000005
【図３】
2019508211.tif 000006
【図４】
2019508211.tif 000007
【図５】
2019508211.tif 000008
【図６】
2019508211.tif 000009
【図７】
2019508211.tif 000010
【図８】
2019508211.tif 000011
【国際調査報告】
2019508211.tif 000012
2019508211.tif 000013